【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
バイオマスをバイオ原油変換するためのシステムであって：
バイオマス原料をバイオ原油に変換するように構成された水熱液化反応器；及び
前記バイオマス原料を加熱する前記水熱液化反応器に集光型太陽熱エネルギーを提供するように構成された太陽熱エネルギー集熱システム
を含む、前記システム。
【請求項２】
前記太陽熱エネルギー集熱システムが太陽熱エネルギー濃縮機構を含む、請求項１のシステム。
【請求項３】
前記太陽熱エネルギー濃縮機構は凹面ディッシュ、放物面鏡、太陽光発電パネル、フレネルレンズからなる群から選択される、請求項２のシステム。
【請求項４】
前記太陽熱エネルギー集熱システムはさらに、前記太陽熱エネルギー濃縮機構に隣接して動作可能に位置するレシーバー、前記レシーバーは前記太陽熱エネルギー濃縮機構から集光型太陽熱エネルギーを受け取るように構成されており、
前記水熱液化反応器は、前記レシーバーに隣接して配置される、請求項２記載のシステム。
【請求項５】
前記水熱液化反応器が前記レシーバーのハウジング内に配置されたコイル状の導管を含む、請求項４記載のシステム。
【請求項６】
前記太陽熱エネルギー集熱システムはレシーバーと太陽熱エネルギー濃縮機構を含み、前記レシーバーは前記太陽熱エネルギー濃縮機構に隣接して動作可能に位置し、前記太陽熱エネルギー濃縮機構から集光型太陽熱エネルギーを受け取るように構成され、熱伝達流体が前記レシーバーから前記水熱液化反応器に集光された熱エネルギーの少なくとも一部を移すように構成され、前記水熱液化反応器は前記レシーバーから離れて配置されている、請求項１に記載のシステム。
【請求項７】
水熱液化反応器を通って前記バイオマス原料をさらに連続的にポンプで送るように構成されたポンプを含む、請求項１記載のシステム。
【請求項８】
ポンプを約２０ＭＰａの圧力で前記バイオマス原料をポンプで送るように構成されている、請求項７記載のシステム。
【請求項９】
太陽熱エネルギー集熱システムは、約４００℃にバイオマス原料を加熱するように構成されている、請求項１記載のシステム。
【請求項１０】
水熱液化反応器の出口に隣接して配置されたクエンチャーをさらに含み、前記クエンチャーはバイオ原油を迅速に冷却するように構成されている、請求項１のシステム。
【請求項１１】
水熱液化反応器の下流に熱交換器をさらに含み、前記熱交換器は前記バイオマス原料から熱エネルギーを回収するように構成されている、請求項１のシステム。
【請求項１２】
一つまたはそれ以上のバイオスラリーポンプと一つまたはそれ以上の電気部品の少なくとも一つのための電気エネルギーを生成するように構成された発電機をさらに含み、前記熱交換器からの熱エネルギーが前記発電機を駆動するために使用される、請求項１１に記載のシステム。
【請求項１３】
前記水熱液化反応器は第一の水熱液化反応器を含み、前記システムはさらに第二の水熱液化反応器を含み、前記第二の水熱液化反応器は前記第一の水熱液化反応器の下流に配置されており、前記熱交換器からの熱エネルギーは前記第二の水熱液化反応器に移される、請求項１１記載のシステム。
【請求項１４】
水熱液化反応器の上流に配置されたｐＨ駆動凝集濃縮機構をさらに含む、請求項１記載のシステム。
【請求項１５】
水熱液化反応器の下流に配置された濾過機構をさらに含み、前記濾過機構は前記バイオ原油から極性成分を実質的に除去するように構成された、請求項１記載のシステム。
【請求項１６】
濾過機構は少なくとも約９５％の効率である、請求項１５記載のシステム。
【請求項１７】
バイオマスをバイオ原油に変換する方法であって：
太陽熱エネルギー濃縮機構から熱エネルギーを回収し；
水熱液化反応器を通してバイオマスの原料をポンプで送り；
前記水熱液化反応器において、前記太陽熱エネルギー濃縮機構から回収した熱エネルギーを使って前記バイオマス原料を加熱することを含む、前記方法。
【請求項１８】
前記バイオマス原料が前記水熱液化反応器を出た後、前記バイオマス原料をクエンチすることをさらに含む、請求項１７記載の方法。
【請求項１９】
前記バイオマス原料を加熱することがバイオ原油、バイオガス、及びバイオ炭を生成する、請求項１７記載の方法。
【請求項２０】
生成されたバイオガスの燃焼から熱エネルギーを回収して、少なくとも１つの発電機で発電することをさらに含み、前記少なくとも一つの発電機は前記水熱液化反応器を通して前記バイオマス原料をポンプで送るための少なくとも１つのポンプに電気エネルギーを供給するように構成されている、請求項１９記載の方法。
【請求項２１】
生成されたバイオガスの燃焼から熱エネルギーを回収して、水熱液化反応器に追加の熱エネルギーを供給することをさらに含む、請求項１９記載の方法。
【請求項２２】
天然ガスの燃焼から熱エネルギーを回収して、前記水熱液化反応器に追加の熱エネルギーを供給することをさらに含む、請求項１７記載の方法。
【請求項２３】
熱エネルギーを回収することが熱交換器によって行われる、請求項１７記載の方法。
【請求項２４】
前記バイオマス原料が微細藻類を含み、前記方法はさらに、
前記微細藻類を培養し；
前記培養された微細藻類を、パルス電場を通過させ；
前記パルス電場を通過させた後、前記培養された微細藻類を藻類の増殖ファシリティを通過させ；
前記藻類の増殖ファシリティを通過させた後、前記培養された微細藻類を、ｐＨ駆動凝集濃縮方法を通過させ；
前記バイオ原油を極性成分を実質的に除去するためのクロスフロー濾過機構を通過させることを含む、請求項１７記載の方法。
【請求項２５】
少なくとも一つのポンプを使って前記水熱液化反応器を通ってバイオマス原料をポンプで送ることをさらに含む、請求項１７記載の方法。
【請求項２６】
前記バイオマス原料が都市バイオ廃棄物を含み、前記方法は：
嫌気性蒸煮釜に前記都市バイオ廃棄物を供給し；
前記嫌気性蒸煮釜によって生成されたバイオガスの燃焼からの熱エネルギーを回収して、
前記回収された熱エネルギーの一部を前記少なくとも一つのポンプを作動させるための電気エネルギーを生成するように構成された発電機に供給することをさらに含む、請求項２５記載の方法。
【請求項２７】
バイオマスをバイオ原油に変換する方法であって：
水熱液化システムによって、バイオガスを燃焼させ、熱エネルギーを生成させ、；
前記水熱液化システムの水熱液化反応器を通してバイオマス原料をポンプで送り；
前記水熱液化反応器中で、前記バイオガスの燃焼からの熱エネルギーを使って前記バイオマス原料を加熱することを含む、前記方法。
【請求項２８】
バイオガスがバイオソリッドの処理施設の少なくとも一つの嫌気性蒸煮釜によって生成される、請求項２７記載の方法。
【請求項２９】
天然ガスの燃焼から熱エネルギーを回収して；水熱液化反応器内の天然ガスの燃焼から回収された前記熱エネルギーを使ってバイオマス原料を加熱することをさらに含む、請求項２７記載の方法。
【請求項３０】
バイオマスをバイオ原油に変換する方法であって：
バイオ廃棄物を含む都市バイオソリッドを、少なくとも一つの嫌気性蒸煮釜に供給して；
前記バイオ廃棄物の部分蒸煮から生成されたバイオガスの第一の部分の燃焼からの熱エネルギーを回収して；
前記バイオガスの第一の部分の燃焼からの前記熱エネルギーを発電機に提供して；
バイオ廃棄物の部分蒸煮から生成されたバイオガスの第二の部分を、燃焼のための水熱液化システムに供給し、該水熱供給システムは水熱液化反応器を含んでおり、；
前記バイオガスの第二の部分の燃焼からの前記熱エネルギー、発電機によって生成された廃熱、前記発電機によって生成された電気エネルギーの少なくとも一部分、及び嫌気性蒸煮釜から前記水熱液化反応器への部分的に蒸煮されたバイオ廃棄物を提供して；
前記水熱液化システムによって生成される廃熱を前記嫌気性蒸煮釜に再循環させて；
前記水熱液化システムからバイオ原油を回収することを含む、前記方法。
【請求項３１】
前記水熱液化システムが、前処理装置と反応器を含む、請求項３０記載の方法。
【請求項３２】
前記水熱液化システムへの前記部分的に蒸煮されたバイオ廃棄物を供給するより前に前記嫌気性蒸煮釜から供給された前記部分的に蒸煮されたバイオ廃棄物を濃縮し、前記水熱液化システムからの水相及び部分的に蒸煮されたバイオ廃棄物の濃縮物からの洗浄除去物をバイオソリッド処理プラントの二次及び三次処理流れに供給することをさらに含む、請求項３０記載の方法。
【請求項３３】
バイオマスをバイオ原油に変換するためのシステムであって：
水熱液化反応器を含む水熱液化システムであって、該水熱液化反応器は、バイオマス原料を受け取り、該バイオマス原料をバイオ原油に変換するように構成されており、該水熱液化システムは、バイオガスの第一の部分を受け取り、該バイオガスの第一の部分を燃焼させ、熱エネルギーを前記水熱液化反応器に供給し、；及び
前記生成された電気エネルギーと前記バイオガスの第二の部分の燃焼からのいかなる残りの熱エネルギーが、前記バイオマス原料を加熱するために前記水熱液化反応器に提供される電気エネルギーを生成するためのバイオガスの第二の部分の燃焼からの熱エネルギーの少なくとも一部を使用するように構成された発電機を含む、前記システム。
【請求項３４】
バイオ廃棄物を蒸煮し前記バイオガスを生成するように構成された少なくとも１つの嫌気性蒸煮釜をさらに含む、請求項３３記載のシステム。
【請求項３５】
前記水熱液化反応器によって受け取られる前記バイオマス原料は、前記嫌気性蒸煮釜によって蒸煮された前記バイオ廃棄物を含んでおり、前記システムは、前記嫌気性蒸煮釜からの前記バイオ廃棄物を受け取り、前記水熱液化反応器によってバイオ原油に変換されている前記バイオ廃棄物より前に前記バイオ廃棄物を濃縮するように構成された濃縮機構をさらに含む、請求項３４記載のシステム。
【請求項３６】
前記システムが、バイオソリッド処理施設内に少なくとも部分的に設置されるように構成されている、請求項３５に記載のシステム。
【請求項３７】
前記バイオガスが前記システムから遠隔で回収される、請求項３３記載のシステム。
【請求項３８】
バイオマスをバイオ原油に変換するためのシステムであって：
バイオマス原料をバイオ原油に変換するように構成された水熱液化反応器；及び
燃焼バイオガスから回収した熱エネルギーの第一の部分と電気エネルギーを発生させるための太陽熱エネルギー集熱システムによって捕捉される熱エネルギーの第一の部分を使用するように構成された発電機を含み、
前記生成された電気エネルギーの少なくとも一部分と前記バイオガスの燃焼及び太陽熱エネルギー集熱システムからの熱エネルギーの第二の部分は、前記バイオマス原料を加熱するために水熱液化反応器に提供される。